(57)【要約】【課題】雌型コンタクトをフローティング状態に支持する構成が簡単で、しかも雌型コンタクトの接触信頼性が高いコネクタを提供すること。【解決手段】雌型コネクタ１１は、インシュレータ１３と、インシュレータ１３に保持され、雄型コネクタ３１のピンコンタクト３５のピン部３５１を受け入れるソケットコンタクト１７とを備えている。ソケットコンタクト１７に、雄型コネクタ３１と嵌合したとき弾性変形してピンコンタクト３５のピン部３５１に接触するソケット部１７１を設けた。また、インシュレータ１３に、雄型コネクタ３１と嵌合したとき弾性変形してソケット部１７１をピン部３５１に押しつける復元力が生じる弾性部材１５を設けた。【選択図】        図１
2005005090.tif 000002
【特許請求の範囲】
【請求項１】
インシュレータと、このインシュレータに保持され、相手側コネクタの雄型コンタクトの接触部を受け入れる雌型コンタクトとを備えているコネクタにおいて、
前記雌型コンタクトは、前記相手側コネクタと嵌合したとき弾性変形して前記雄型コンタクトの接触部に接触する接触部を有し、
前記インシュレータは、前記相手側コネクタと嵌合したとき弾性変形して前記雌型コンタクトの接触部を前記雄型コンタクトの接触部に押しつける復元力が生じる弾性部材を有し
ていることを特徴とするコネクタ。
【請求項２】
前記インシュレータは、前記弾性部材と結合され、前記雌型コンタクトの接触部の先端部を収容する収容部が形成されたインシュレータ本体を有し、
前記雌型コンタクトの接触部の後端部が前記弾性部材に保持され
ていることを特徴とする請求項１記載のコネクタ。
【請求項３】
前記雌型コンタクトの接触部の断面形状がほぼＣ形であることを特徴とする請求項１又は２記載のコネクタ。
【請求項４】
前記インシュレータは、前記雄型コンタクトの接触部を前記雌型コンタクトの接触部内に案内するガイド部を有していることを特徴とする請求項１、２又は３記載のコネクタ。
【請求項５】
前記雌型コンタクトは一方の接続対象物に接続可能な端子部を有し、
前記雌型コンタクトはほぼＬ形に折れ曲がり、その一端に前記接触部が、その他端に前記端子部がそれぞれ位置し、
前記端子部が、前記インシュレータ本体に形成された位置決め用の溝に支持されている
ことを特徴とする請求項１、２、３又は４記載のコネクタ。
【発明の詳細な説明】
【０００１】
【発明の属する技術分野】
この発明はコネクタに関し、特に雌型コンタクトがフローティング状態に支持されているコネクタに関する。
【０００２】
【従来の技術】
従来、コンタクトがフローティング状態に支持された雌型コネクタが知られている（下記特許文献１参照）。
【０００３】
この雌型コネクタはコネクタ本体と複数の第２の端子とを備えている。各第２の端子の端部には、後述する雄型コネクタの第１の端子の端部に係合する凸形状の回転楕円体状又は半球状の案内面が形成されている。
【０００４】
この雌型コネクタのコネクタ本体は第１及び第２隆起部を有している。第１隆起部には雄型コネクタの隆起部を受け入れる凹部が形成されている。第２隆起部には第２の端子の数に対応した数の貫通孔である空洞が形成されている。空洞内には中空のリテーナが摺動自在に保持されており、この空洞の開口に取り付けられた止蓋とリテーナとの間にはスプリングが配置されている。リテーナにはチューブ状の弾性部材の一端が固着されており、この弾性部材の他端には第２の端子が固着されている。
【０００５】
以上の構成により第２の端子はその径方向及び軸方向へ移動可能かつ中立位置に復帰可能に支持されている。
【０００６】
この雌型コネクタに嵌合する雄型コネクタはコネクタ本体と複数の第１の端子とを備えている。コンタクト本体は隆起部を有している。複数の第１の端子は隆起部に配置されている。各第１の端子の端部には凹形状の椀状又は半球状の案内面が形成されている。
【０００７】
【特許文献１】
特開平７−２６７０１９号公報（段落００１８〜２１、図４）
【０００８】
【発明が解決しようとする課題】
この従来の雌型コネクタでは、第２の端子をフローティング状態に支持するためにリテーナ、スプリング、弾性部材等が必要であり、第２の端子をフローティング状態に支持する構成が複雑であった。
【０００９】
また、従来の雌型コネクタでは、嵌合時に第２の端子の凸状の案内面を第１の端子の凹状の案内面に押し付けるだけなので、端子同士の接触の信頼性は高くなかった。
【００１０】
この発明はこのような事情に鑑みてなされたもので、その課題はコンタクトをフローティング状態に支持する構成が簡単で、しかもコンタクトの接触信頼性が高いコネクタを提供することである。
【００１１】
【課題を解決するための手段】
前述の課題を解決するため請求項１の発明のコネクタは、インシュレータと、このインシュレータに保持され、相手側コネクタの雄型コンタクトの接触部を受け入れる雌型コンタクトとを備えているコネクタにおいて、前記雌型コンタクトは、前記相手側コネクタと嵌合したとき弾性変形して前記雄型コンタクトの接触部に接触する接触部を有し、前記インシュレータは、前記相手側コネクタと嵌合したとき弾性変形して前記雌型コンタクトの接触部を前記雄型コンタクトの接触部に押しつける復元力が生じる弾性部材を有していることを特徴とする。
【００１２】
上述のようにインシュレータは弾性部材を有し、この弾性部材によって雌型コンタクトの接触部がフローティング状態に支持される。弾性部材は相手側コネクタとの嵌合時に弾性変形して雌型コンタクトの接触部を雄型コンタクトの接触部に押しつける。
【００１３】
請求項２の発明のコネクタは、請求項１記載のコネクタにおいて、前記インシュレータは、前記弾性部材と結合され、前記雌型コンタクトの接触部の先端部を収容する収容部が形成されたインシュレータ本体を有し、前記雌型コンタクトの接触部の後端部が前記弾性部材に保持されていることを特徴とする。
【００１４】
インシュレータ本体に弾性部材を結合するだけで、雌型コンタクトのフローティング機能を有するインシュレータを提供することができる。
【００１５】
請求項３の発明のコネクタは、請求項１又は２記載のコネクタにおいて、前記雌型コンタクトの接触部の断面形状がほぼＣ形であることを特徴とする。
【００１６】
上述のように雌型コンタクトの接触部の横断面形状がほぼＣ形であるので、雄型コンタクトの接触部に対する雌型コンタクトの接触部のばね力が確実に作用する。
【００１７】
請求項４の発明のコネクタは、請求項１、２又は３記載のコネクタにおいて、前記インシュレータは、前記雄型コンタクトの接触部を前記雌型コンタクトの接触部内に案内するガイド部を有していることを特徴とする。
【００１８】
上述のようにインシュレータがガイド部を有するので、このコネクタに相手側コネクタがスムーズに嵌合する。
【００１９】
請求項５の発明のコネクタは、請求項１、２、３又は４記載のコネクタにおいて、前記雌型コンタクトは一方の接続対象物に接続可能な端子部を有し、前記雌型コンタクトはほぼＬ形に折れ曲がり、その一端に前記接触部が、その他端に前記端子部がそれぞれ位置し、前記端子部が、前記インシュレータ本体に形成された位置決め用の溝に支持されていることを特徴とする。
【００２０】
インシュレータ本体に形成された位置決め用の溝によってインシュレータ本体に対して雌型コンタクトの端子部が位置決めされる。
【００２１】
【発明の実施の形態】
以下、この発明の実施の形態を図面に基づいて説明する。
【００２２】
図１はこの発明の一実施形態に係る雌型コネクタが雄型コネクタから離脱している状態を示す斜視図、図２は図１に示す雌型コネクタが雄型コネクタに嵌合しているときのコンタクト周辺部分の縦断面図、図３は図２のＡ部の拡大図、図４は図１に示すソケットコンタクトとピンコンタクトとが離脱している状態を示す斜視図、図５は図１に示すソケットコンタクトとピンコンタクトとが接触している状態を示す斜視図、図６は図４に示すソケット部の横断面図、図７は図４に示すソケット部にピン部が挿入されたときのソケット部に作用する弾性力を示す概念図である。
【００２３】
図１に示すように、雌型コネクタ（コネクタ）１１はインシュレータ１３とソケットコンタクト（雌型コンタクト）１７とを備える。
【００２４】
インシュレータ１３はインシュレータ本体１４と弾性部材１５とを有する。
【００２５】
インシュレータ本体１４は合成樹脂で形成され、プレート状部１４１と脚部１４２とを有する。
【００２６】
プレート状部１４１には複数の挿入孔１４３が形成されている。図３に示すように、挿入孔１４３は収容部１４３ａとガイド部１４３ｂとを有する。収容部１４３ａは後述するソケット部１７１の先端部を収容する。収容部１４３ａの内径はソケット部１７１の外径よりも大きい。ガイド部１４３ｂは後述するピン部３５１をソケット部１７１内へ案内するテーパ面１４３ｃを有している。
【００２７】
図１，２に示すように、脚部１４２には複数のＶ溝（位置決め用の溝）１４２ａが形成されている。Ｖ溝１４２ａは後述する端子部１７３を支持する。
【００２８】
弾性部材１５はエラストマで形成され、板状である。弾性部材１５はプレート状部１４１の下面に結合されている。図３に示すように、弾性部材１５には複数の挿入孔１５ａが形成されている。各挿入孔１５ａはそれぞれ挿入孔１４３に対向する。挿入孔１５ａの内径はソケット部１７１の外径よりも小さい。
【００２９】
図４，５に示すように、コンタクト１７はＬ字形に形成され、ソケット部（接触部）１７１と連結部１７２と端子部１７３とを有する。ソケット部１７１はほぼ円筒状であり、それにはスリット１７１ａが形成されている。スリット１７１ａはソケット部１７１の軸方向へ延びている。したがって、ソケット部１７１の横断面形状は、図６に示すように、ほぼＣ字形である。ソケット部１７１の内径はピン部３５１の先端部の幅よりも小さい。連結部１７２はソケット部１７１と端子部１７３とを連結している。端子部１７３は円筒状である。端子部１７３は図示しない第１のプリント基板（一方の接続対象物）のパッドに半田付けされる。
【００３０】
雌型コネクタ１１の相手側コネクタである雄型コネクタ３１は、図１に示すように、インシュレータ３３とピンコンタクト（雄型コンタクト）３５とを備える。
【００３１】
インシュレータ３３は合成樹脂で形成され、プレート状部３３１と脚部３３２とを有する。インシュレータ３３はインシュレータ１３を覆うような形でインシュレータ１３と嵌合する。
【００３２】
図２，３に示すように、プレート状部３３１には複数の挿入孔３３３が形成されている。挿入孔３３３はインシュレータ３３がインシュレータ１３に嵌合したときにインシュレータ１３の挿入孔１４３に対向する。
【００３３】
プレート状部３３１の両端部の上面には、それぞれ第１及び第２の凸部３３４，３３５が形成されている。第１及び第２の凸部３３４，３３５にはそれぞれ複数のＶ溝３３４ａ，３３５ａが形成されている。Ｖ溝３３４ａは後述する連結部３５２を支持する。Ｖ溝３３５ａは後述する端子部３５３を支持する。
【００３４】
脚部３３２はプレート状部３３１の両端部の下面に形成されている。
【００３５】
図４，５に示すように、ピンコンタクト３５はＬ字形に形成され、ピン部（接触部）３５１と連結部３５２と端子部３５３とを有する。ピン部３５１の先端部は平板状に押し潰されており、この部分がソケット部１７１内に挿入される。連結部３５２はピン部３５１と端子部３５３とを連結している。端子部３５３は軸状である。端子部３５３は他方の接続対象物の第２のプリント基板（図示せず）のパッドに半田付けされる。
【００３６】
図３に示すように、ソケット部１７１の先端部と収容部１４３ａの内周面との間には隙間Ｇがあり、ソケット部１７１の後端部は弾性部材１５によって保持されている。このためソケット部１７１は隙間Ｇの分だけ径方向へ移動できる。このようにソケットコンタクト１７は弾性部材１５だけでフローティング状態に保持されている。
【００３７】
上述のようにソケット部１７１の内径はピン部３５１の先端部の幅よりも小さく、ソケット部１７１の外径は挿入孔１５ａの内径よりも大きいので、ピン部３５１がソケット部１７１に挿入されているとき、図７に示すように、ソケット部１７１の弾性力Ｆ１だけでなく、弾性部材１５の弾性力Ｆ２もソケット部１７１をピン部３５１に接触させる力となる。
【００３８】
以上のように、この実施形態によれば、ソケットコンタクト１７をフローティング状態に支持する構成が簡単で、しかもソケットコンタクト１７の接触信頼性が高いコネクタを提供することができる。
【００３９】
また、インシュレータ本体１４に弾性部材１５を結合するだけで、ソケットコンタクト１７のフローティング機能を有するインシュレータ１３を提供することができる。
【００４０】
更に、ソケット部１７１の横断面形状をほぼＣ字形にすることによってソケット部１７１のばね力が確実に作用するので、ソケットコンタクト１７の接触信頼性をより高くすることができる。
【００４１】
また、インシュレータ１３がガイド部１４２ｂを有するので、雌型コネクタ１１に対する雄型コネクタ３１の接続作業を簡単に行うことができる。
【００４２】
更に、インシュレータ１３に形成されたＶ溝１４２によってソケットコンタクト１７の端子部１７３の位置決めを容易に行うことができる。
【００４３】
なお、弾性部材１５の材質はエラストマであるが弾性部材１５の材質はこれに限られない。
【００４４】
また、弾性部材１５は平板状であるが、弾性部材１５の形状はこれに限られず、例えば弾性部材を円筒状にし、挿入孔１４３の径を大きくし、この挿入孔１４３とソケット部１７１との間に円筒状の弾性部材を介在させてもよい。
【００４５】
なお、ソケット部１７１は円筒状でスリット１７１ａを有するが、雌型コンタクトの接触部の形状はこれに限られず、例えば、雄型コンタクトの接触部を挟み込むようなＵ字形にしてもよい。
【００４６】
【発明の効果】
以上説明したように請求項１の発明のコネクタによれば、雌型コンタクトをフローティング状態に支持する構成が簡単で、しかも雌型コンタクトの接触信頼性が高いコネクタを提供することができる。
【００４７】
請求項２の発明のコネクタによれば、雌型コンタクトのフローティング機能を有するインシュレータを容易に提供することができる。
【００４８】
請求項３の発明のコネクタによれば、雌型コンタクトの接触信頼性をより高くすることができる。
【００４９】
請求項４の発明のコネクタによれば、相手側コネクタの接続作業を簡単に行うことができる。
【００５０】
請求項５の発明のコネクタによれば、雌型コンタクトの端子部の位置決めを容易に行うことができる。
【図面の簡単な説明】
【図１】図１はこの発明の一実施形態に係る雌型コネクタが雄型コネクタから離脱している状態を示す斜視図である。
【図２】図２は図１に示す雌型コネクタが雄型コネクタに嵌合しているときのコンタクト周辺部分の縦断面図である。
【図３】図３は図２のＡ部の拡大図である。
【図４】図４は図１に示すソケットコンタクトとピンコンタクトとが離脱している状態を示す斜視図である。
【図５】図５は図１に示すソケットコンタクトとピンコンタクトとが接触している状態を示す斜視図である。
【図６】図６は図４に示すソケット部の横断面図である。
【図７】図７は図４に示すソケット部にピン部が挿入されたときのソケット部に作用する弾性力を示す概念図である。
【符号の説明】
１１  雌型コネクタ（コネクタ）
１３  インシュレータ
１４  インシュレータ本体
１４２ａ  Ｖ溝（位置決め用の溝）
１４３ｂ  ガイド部
１５  弾性部材
１７  ソケットコンタクト（雌型コンタクト）
１７１  ソケット部（接触部）
１７３  端子部
３１  雄型コネクタ（相手側コネクタ）
３５  ピンコンタクト（雄型コンタクト）
３５１  ピン部（接触部）
【図１】
2005005090.tif 000003
【図２】
2005005090.tif 000004
【図３】
2005005090.tif 000005
【図４】
2005005090.tif 000006
【図５】
2005005090.tif 000007
【図６】
2005005090.tif 000008
【図７】
2005005090.tif 000009